(57)【要約】      （修正有）【課題】比較的低い温度下で、少なくとも１つの部品及び／又は半田表面から金属酸化物を除去するための経済的かつ効率的な方法を提供する。【解決手段】基材に接続された該少なくとも１つの部品２５を提供して、該基材が接地電位又は陽電位から成る群より選択された少なくとも１つの電位を有するターゲットアッセンブリを形成すること；還元ガス２７を含んで成るガス混合物を、第１及び第２電極を含んで成るイオン発生器２１に通過させること；該還元ガスの少なくとも一部に付着する電子を発生させて、負に帯電した還元ガスを形成するのに十分な電圧を該第１及び該第２電極の少なくとも一方に供給すること；並びに該ターゲットアッセンブリを該負に帯電した還元ガス２７と接触させて、該少なくとも１つの部品２５上の該金属酸化物を還元することを含んで成る、少なくとも１つの部品２５表面から金属酸化物を除去する方法。【選択図】図５
2010043357.tif 000002
【特許請求の範囲】
【請求項１】
少なくとも１つの部品表面から金属酸化物を除去する方法であって、
基材に接続された該少なくとも１つの部品を提供して、該基材が接地電位又は陽電位から成る群より選択された少なくとも１つの電位を有するターゲットアッセンブリを形成すること；
還元ガスを含んで成るガス混合物を、第１及び第２電極を含んで成るイオン発生器に通過させること；
該還元ガスの少なくとも一部に付着する電子を発生させて、負に帯電した還元ガスを形成するのに十分な電圧を該第１及び該第２電極の少なくとも一方に供給すること（供給工程）；並びに
該ターゲットアッセンブリを該負に帯電した還元ガスと接触させて、該少なくとも１つの部品上の該金属酸化物を還元すること
を含んで成る、少なくとも１つの部品表面から金属酸化物を除去する方法。
【請求項２】
前記イオン発生器が、ガス入口と、該ガス入口と流体が連絡しているガス出口とをさらに含んで成り、前記第２電極が、該ガス入口と該ガス出口の間に配置された、請求項１に記載の方法。
【請求項３】
前記イオン発生器が、前記ガス入口と前記ガス出口の間に配置された磁気コイルをさらに含んで成る、請求項２に記載の方法。
【請求項４】
前記磁気コイルが、０．１〜５，０００Ｗｂ／ｍ2の磁界を作り出す、請求項２に記載の方法。
【請求項５】
前記第１電極が、前記第２電極と比べて陽電位を有する、請求項１に記載の方法。
【請求項６】
前記第１電極が、その表面の少なくとも一部の上に配置された絶縁材料を有する、請求項５に記載の方法。
【請求項７】
前記還元ガスが、Ｈ2、ＣＯ、ＳｉＨ4、Ｓｉ2Ｈ6、ＣＦ4、ＳＦ6、ＣＦ2Ｃｌ2、ＨＣｌ、ＢＦ3、ＷＦ6、ＵＦ6、ＳｉＦ3、ＮＦ3、ＣＣｌＦ3、ＨＦ、ＮＨ3、Ｈ2Ｓ、直鎖、分枝又は環状のＣ1〜Ｃ10炭化水素、ギ酸、アルコール、以下の化学式（ＩＩＩ）を有する酸蒸気、即ち、
【化１】
2010043357.tif 000006
以下の化学式（ＩＶ）を有する有機蒸気、即ち、
【化２】
2010043357.tif 000007
及びそれらの混合物（化学式ＩＩＩ及びＩＶ中の置換基Ｒは、アルキル基、置換アルキル基、アリール基、又は置換アリール基である）から成る群より選択された、請求項１に記載の方法。
【請求項８】
前記ガス混合物が０．１〜１００ｖｏｌ％の水素を含んで成る、請求項７に記載の方法。
【請求項９】
前記ガス混合物が０．１〜４ｖｏｌ％の水素を含んで成る、請求項８に記載の方法。
【請求項１０】
前記ガス混合物がキャリヤーガスをさらに含んで成る、請求項１に記載の方法。
【請求項１１】
前記キャリヤーガスが、窒素、ヘリウム、ネオン、アルゴン、クリプトン、キセノン、ラドン及びそれらの混合物から成る群より選択された、請求項１０に記載の方法。
【請求項１２】
前記キャリヤーガスが窒素である、請求項１１に記載の方法。
【請求項１３】
前記電圧が０．０１〜５０ｋＶである、請求項１に記載の方法。
【請求項１４】
前記電圧が０．１〜３０ｋＶである、請求項１３に記載の方法。
【請求項１５】
前記第１及び第２電極間の距離が０．１〜３０ｃｍである、請求項１に記載の方法。
【請求項１６】
前記第１及び第２電極間の距離が０．５〜５ｃｍである、請求項１５に記載の方法。
【請求項１７】
前記電圧がパルスである、請求項１に記載の方法。
【請求項１８】
前記電圧パルスの周波数が０〜１００ｋＨｚである、請求項１７に記載の方法。
【請求項１９】
前記第１電極が接地された、請求項１に記載の方法。
【請求項２０】
前記第２電極が接地された、請求項１に記載の方法。
【請求項２１】
前記電子が、陰極放出、ガス放電、又はそれらの組み合せから成る群より選択された少なくとも１つの方法によって前記供給工程で生成される、請求項１に記載の方法。
【請求項２２】
前記電子が陰極放出によって生成される、請求項２１に記載の方法。
【請求項２３】
前記陰極放出法が、電界放出、熱放出、熱電界放出、光電子放出、及び電子ビーム放出から成る群より選択された少なくとも１つの方法である、請求項２２に記載の方法。
【請求項２４】
前記陰極放出法が電界放出である、請求項２３に記載の方法。
【請求項２５】
少なくとも１つの表面上に半田及び金属酸化物を含んで成る少なくとも１つの部品をフラックスレス半田付けする方法であって、
基材が接地電位又は陽電位から成る群より選択された少なくとも１つの電位を有するターゲットアッセンブリとして、該基材に接続される少なくとも１つの部品を提供すること；
還元ガスを含んで成るガス混合物を、ガス入口、該ガス入口と流体が連絡しているガス出口、アノード、カソード、及び該ガス入口と該ターゲットアッセンブリに近い該ガス出口との間に配置された磁気コイルを含んで成るイオン発生器に通過させること；
該カソード及び該アノードのうち少なくとも一方にエネルギーを供給して、該イオン発生器を通過する該還元ガスの少なくとも一部に付着する電子を発生させ、それによって負に帯電した還元ガスを該ガス出口で形成すること（供給工程）；
該磁気コイルにエネルギーを供給して、該負に帯電した還元ガスの近くに磁界を与えること；並びに
該ターゲットアッセンブリを該負に帯電した還元ガスと接触させて、該少なくとも１つの部品の該少なくとも１つの表面上の該金属酸化物を還元すること
を含んで成る、少なくとも１つの表面上に半田及び金属酸化物を含んで成る少なくとも１つの部品をフラックスレス半田付けする方法。
【請求項２６】
前記アノードが、その表面の少なくとも一部の上に配置された絶縁材料を含んで成る、請求項２５に記載の方法。
【請求項２７】
前記イオン発生器中の前記ガス混合物の温度が２５℃〜３，５００℃である、請求項２５に記載の方法。
【請求項２８】
前記イオン発生器中の前記ガス混合物の温度が１５０℃〜１，５００℃である、請求項２７に記載の方法。
【請求項２９】
前記カソードの温度が２５℃〜３，５００℃である、請求項２５に記載の方法。
【請求項３０】
前記カソードの温度が１５０℃〜１，５００℃である、請求項２９に記載の方法。
【請求項３１】
前記供給工程のエネルギーが、電気エネルギー源、電磁エネルギー源、熱エネルギー源、光エネルギー源、及びそれらの組み合せから成る群より選択された少なくとも１つの供給源である、請求項２５に記載の方法。
【請求項３２】
前記エネルギーが前記カソードに適用される、請求項２５に記載の方法。
【請求項３３】
前記イオン発生器内の圧力が１〜２０気圧である、請求項２５に記載の方法。
【請求項３４】
前記イオン発生器内の圧力が１〜５気圧である、請求項３３に記載の方法。
【請求項３５】
前記カソードが、黄銅、ステンレス鋼、銅、ニッケルクロム、アルミニウム、タングステン、黒鉛、金属基材上に堆積された金属酸化物、及びそれらの混合物から成る群より選択された材料から構成される、請求項２５に記載の方法。
【請求項３６】
前記カソードがニッケルクロムから構成される、請求項３５に記載の方法。
【請求項３７】
前記カソードが、ワイヤー、コイル、スクリーン、ロッド、鋭いチップを備えたロッド、鋭いチップを備えたずらりと並んだロッド、ワイヤーから構成されたブラシ、その表面の少なくとも１つから出た突出部を有するプレート、その表面から出た突出部を有するロッド、及びそれら２種以上から成る群より選択された幾何学形状を有する、請求項２５に記載の方法。
【請求項３８】
前記部品と前記イオン発生器の出口との間の距離が０．１〜３０ｃｍである、請求項２５に記載の方法。
【請求項３９】
前記部品と前記イオン発生器の出口との間の距離が０．５〜５ｃｍである、請求項２５に記載の方法。
【請求項４０】
遠隔イオン発生器が移動する、請求項２５に記載の方法。
【請求項４１】
前記ターゲットアッセンブリが移動する、請求項２５に記載の方法。
【請求項４２】
遠隔イオン発生器が移動する、請求項４１に記載の方法。
【請求項４３】
リフロー半田付け、ウェーブ半田付け、ウェハバンピング、メッキ、ろう付け、溶接、表面洗浄、薄膜の脱酸素、及びそれら２種以上より成る群からの少なくとも１つの処理で使用される、請求項２５に記載の方法。
【請求項４４】
負に帯電したイオン性還元ガスの発生装置であって、
その少なくとも一部が、第１電圧レベルに接続されたアノードを含んで成る内部中空を画定するエンクロージャーと；
ガス入口、及び該内部中空に流体が連絡しているガス出口と；
該内部中空に存在し、かつ該ガス入口と該ガス出口の間に配置され、該第１電圧レベルに関して負バイアスを有する第２電圧レベルに接続されたカソードと
を含んで成る、負に帯電したイオン性還元ガスの発生装置。
【請求項４５】
前記内部中空の内側に存在する磁気コイルをさらに含んで成り、該磁気コイルがエネルギー源に接続された、請求項４４に記載の装置。
【請求項４６】
前記内部中空の外側に存在する磁気コイルをさらに含んで成り、該磁気コイルがエネルギー源に接続された、請求項４４に記載の装置。
【請求項４７】
前記アノードが、その表面の少なくとも一部に配置された絶縁材料を有する、請求項４４に記載の装置。
【請求項４８】
前記ガス出口の開口が前記ガス入口の開口よりも小さい、請求項４４に記載の装置。
【請求項４９】
前記ガス出口が、流量制限開口、背圧調整器、流量調節計、及びそれら２種以上から成る群より選択された少なくとも１つを含んで成る、請求項４４に記載の装置。
【請求項５０】
負に帯電したイオン性還元ガスの発生装置であって、
電位のバイアスがその電極間で印加される少なくとも２つの電極と；還元ガスを受け入れるための第１ガス入口と；該負に帯電したイオン性還元ガスを放出するためのガス出口とを含んで成る、第１チャンバー；並びに
該第１チャンバーを封入し、かつキャリヤーガスを受け入れるための第２ガス入口を含んで成り、該第２ガス入口が該第１チャンバーと流体連絡し、該還元ガス及び該キャリヤーガスが該第１チャンバー内でガス混合物を形成する、第２チャンバー
を含んで成る、負に帯電したイオン性還元ガスの発生装置。
【請求項５１】
前記ガス混合物中の還元ガス濃度が約４ｖｏｌ％以下である、請求項５０に記載の装置。
【発明の詳細な説明】
【技術分野】
【０００１】
本発明は一般に、表面酸化物を除去するためのフラックスレスプロセスに関する。より具体的に本発明は、遠隔イオン発生器内での電子付着を伴うフラックスレスリフロー及び半田付けのためのフラックスレスプロセスを含んで成る装置及び方法に関する。
【背景技術】
【０００２】
リフロー及び半田付けは、電子部品の組み付けにおいて半田接合するための重要な処理工程である。本明細書で用いられる“リフロー”という語は、基材上に前もって適用した半田を、例えば、熱エネルギーなどのエネルギー源を適用して溶融及び流動させる処理のことを言う。本明細書で用いられる“半田付け”という語は、溶融した半田によって少なくとも２つの金属基材を接合する処理のことを言う。さまざまな異なるリフロー及び半田付け処理は、ウェハバンピングに用いられる半田バンプのリフロー、表面実装用電子部品の組み付けにおいて用いられるリフロー半田付け、及び挿入実装用部品の組み付けにおいて用いられるウェーブ半田付けなど、しかしそれらに限定されない電子デバイスの組み付けにおいて使用できる。
【０００３】
リフロー半田付けは、表面実装部品のアウターリードボンディングに用いられる処理であり、この処理においては、チップが次のレベルの表面実装パッケージへ適切にリードとともに移される。リフロー半田付け処理においては、半田ペーストを回路基板上に前もって印刷して、部品を回路基板の対応する微小領域上に取り付ける。次いで、このように形成された半田付け部品をリフロー炉に入れ、加熱及び冷却帯域に通す。部品リードと回路基板上の半田ランドとの間の半田接合は、半田ペーストの溶融、濡れ、及び凝固によって形成される。接合表面上での溶融した半田の良好な濡れを確実にするために、有機フラックスを半田ペースト中に通常含ませ、半田及びベース金属両方に関する初期表面酸化物を除去して、凝固前の表面を清浄な状態に維持する。該フラックスは、大部分が半田付け中に蒸気相に蒸発するが、フラックスの揮発性物質は、半田接合における空隙の形成、及びリフロー炉の汚染のような問題を引き起こす場合がある。半田付け後、腐食及び短絡の原因となる場合のあるフラックス残留物が、依然として回路基板上に残ったままである。
【０００４】
同様に、ウェーブ半田付けは、従来の挿入実装部品を組み付けるためなどのアウターリードボンディングに用いられる。それはまた、半田付け前に接着剤によって回路基板上の部品を仮付けすることで表面実装部品に使用することもできる。両方の場合について、挿入又は仮付けした部品を有する回路基板は、部品リード及び半田ランド上の酸化物を除去するために、液体フラックスを用いて洗浄しなければならず、次いで、高温の溶融半田浴に通さなければならない。溶融した半田によって、半田付けされるべき金属表面を自動的に濡らし、そうして半田接合を形成する。浴中の溶融半田は、酸化される傾向が高く、半田かすを形成する。それゆえ、半田浴の表面は、このかすを機械的に除去することによって頻繁に洗浄しなければならず、半田の運用コストと消費を増大させる。半田付け後、フラックス残留物が回路基板上に残ったままであり、リフロー半田付けについて本明細書で記載したのと同じ問題が生じる。
【０００５】
ウェハバンピングは、インナーリードボンディングについてチップボンドパッド上に厚い金属バンプを作製するのに用いられる処理である。該バンプは、概してパッド上に半田を付着させ、次いでリフロー（第１リフローと本明細書で称される）させて、合金化を行い、マッシュルーム形状から半球体形状へ半田バンプの形状を変化させることによって作製される。第１リフローバンプを有するチップは、基材上の半田で濡れた端子のフットプリントに対応するよう“はじかれ”、次いで第２リフローを受けて半田接合を形成する。これらの半田接合は、本明細書でインナーリードボンドと称される。高溶融点の半田（例えば、＞３００℃）が、ウェハバンピング処理において用いられるのが通常である。なぜなら低溶融点の半田（例えば、＜２３０℃）を用いて進行するアウターリードボンディングなどの以降の組み付け工程を、インナーリードボンドを破壊せずに可能とするからである。
【０００６】
第１リフロー後の半田バンプ形状が重要である。例えば、バンプ高さが高いことは、より良好なボンディング及びより高い疲労抵抗のために好ましい。さらに、形成されるバンプは、平坦性を確実にするために、好ましくは実質的に均一であるべきである。比較的高いバンプ高さを有する実質的に均一な半田バンプは、第１リフローの際に酸化物のないバンプ表面と関連していると考えられる。半田バンプ付きウェハの第１リフロー中に半田酸化物を除去する１つのアプローチは、堆積した半田バンプの上に、又はバンプを形成するためにウェハ上に印刷された半田ペースト混合物中に有機フラックスを適用すること、並びにフラックスが半田表面上の初期酸化物を効果的に除去できるように、不活性環境においてバンプをリフローすることである。しかしながら、このアプローチは欠点を有する。小さな空隙が、フラックスの分解によって半田バンプ中に形成することがある。これらの空隙は、形成された半田結合の電気的及び機械的性質を低下させるだけでなく、半田バンプ付きウェハの共平面性を破壊し、かつ以降のチップボンディングプロセスに影響を及ぼすこともある。分解したフラックスの揮発性物質がリフロー炉を汚染する場合もあり、それによってメンテナンスコストが増加することがある。加えて、腐食を引き起こし、アッセンブリの性能を低下させることのあるフラックス残留物がしばしばウェハ上に残る。
【０００７】
上記のリフロー及び半田付け処理からフラックス残留物を除去するために、洗浄剤としてクロロフルオロカーボン（ＣＦＣ）を用いた後洗浄処理を採用することができる。しかしながら、後洗浄によって、新たな処理工程が加わり、製造処理の時間が増加する。さらには、洗浄剤としてのクロロフルオロカーボン（ＣＦＣ）の使用は、地球を保護するオゾン層に対する潜在的なダメージのために禁止されている。少量の活性剤を用いて残留物を低減することによって無洗浄フラックスが開発されたが、フラックス残留物量のゲイン及びロスとフラックス活性との間で取引がある。
【０００８】
空隙の形成、フラックスの揮発性物質、フラックス残留物、及びかすの形成を含む、上記すべての問題に対する良い解決策は、金属酸化物を除去するための有機フラックスに取って代わるために、リフロー及び半田付け環境として還元ガスを用いることである。このようなリフロー及び半田付け技術は、“フラックスレスリフロー”及び“フラックスレス半田付け”と呼ばれる。さまざまなフラックスレスリフロー及び半田付け法の中でも、ベース金属及び半田上の酸化物を還元するために、反応性ガスとして水素を使用することが特に魅力的である。なぜなら、それは非常にクリーンなプロセスであり（唯一の副生成物は、炉から容易に換気できる水である）、かつオープンで継続的な半田付け製造ラインと両立できるからである（Ｈ2は毒性がなく、４〜７５％の可燃性範囲を有する）。それゆえ、水素フラックスレス半田付けは、長い間技術的な目標であった。
【０００９】
１つの以前使用されたインナーリードボンディングのための水素フラックスレス法は、４００〜４５０℃の温度で半田バンプ付きウェハのリフローに純粋な水素を利用することであった。しかしながら、純粋水素の可燃性によってその用途が非常に制限される。リフロー半田付け及びウェーブ半田付けなどのアウターリードボンディングで使用される半田付け処理について、水素を用いて表面酸化物を還元することの主な制約は、通常の処理温度範囲（＜２５０℃）での金属酸化物の非能率的でかつ遅い還元速度であり、半田付けされるべきベース金属上の酸化物よりも大きな金属−酸素結合強さを有する半田酸化物について特にそうである。この水素の非能率性は、低温で水素分子の反応性が乏しいことに起因すると考えられる。単原子水素などの高反応性ラジカルは、通常のリフロー半田付け及びウェーブ半田付けの温度範囲よりもはるかに高い温度で形成する。例えば、スズに基づいた半田上のスズ酸化物を還元するのに効果的な純粋Ｈ2の温度範囲は３５０℃よりも高い。このような高温によって、包装された電子部品に損傷を与えるか又はそれに対する信頼性の問題が生じる場合がある。それゆえ、高反応性Ｈ2ラジカルの生成を助長するための触媒方法、並びにしたがって、水素濃度の効果的な範囲、及び表面酸化物を還元する処理温度の低減が、産業界で求められている。
【００１０】
フラックスレス（乾式）半田付けは、いくつかの技術を用いて先行技術で実施されている。１つの技術は、レーザーを用いて除去すること又は金属酸化物をその気化温度に加熱することである。このような処理は、放出された汚染物質による再酸化を防ぐために、不活性又は還元性雰囲気のもとで実施されるのが典型的である。しかしながら、該酸化物又はベース金属の溶融点又は沸点が同様である場合があり、ベース金属を溶融又は気化させることは望ましくない場合がある。それゆえ、このようなレーザー処理を実施することは困難である。レーザーは、典型的に高価でかつ操作するのに非能率であり、酸化物層への直線的な照準を必要とする。これらのファクターによって、大部分の半田付け用途についてレーザー技術の有効性が制限される。
【００１１】
表面酸化物は、高温で反応性ガス（例えば、Ｈ2）にさらすことによって、化学的に（例えば、Ｈ2Ｏに）還元することができる。不活性キャリヤー（例えば、Ｎ2）中に５％以上の還元ガスを含有する混合物が典型的に用いられる。次いで、反応生成物（例えば、Ｈ2Ｏ）が、高温で脱着して表面から放出され、ガス流動域に運び去られる。典型的な処理温度は３５０℃を超える。しかしながら、この処理は、高温でさえゆっくりでかつ効果的でない場合がある。
【００１２】
還元処理の速度及び有効性は、より活性な還元種を用いて向上させることができる。このような活性種は、通常のプラズマ技術を用いて製造できる。
【００１３】
可聴周波、無線周波、又はマイクロ波周波でのガスプラズマは、表面脱酸素のための反応性ラジカルを生成するのに使用できる。このような処理においては、高強度の電磁放射線が、Ｈ2、Ｏ2、ＳＦ6、又はフッ素含有化合物を含む他の種を高い反応性のラジカルにイオン化及び解離するのに用いられる。表面処理は３００℃未満の温度で実施できる。しかしながら、プラズマ形成の最適条件を得るために、このような処理は真空条件のもとで典型的に実施される。真空操作は高価な設備を必要とし、より速い連続プロセスよりはむしろゆっくりとしたバッチプロセスとして実施されなければならない。さらにプラズマは、典型的には処理チャンバー内に拡散して分散され、特定の領域に導くことは困難である。それゆえ、反応性種は、この処理において効率的には利用できない。プラズマはまた、スパッタリング処理によって処理チャンバーに損傷を与える場合があり、誘電体表面上の空間電荷を蓄積させる場合があって、マイクロ回路を損傷させる可能性がある。マイクロ波それ自体が、同様にマイクロ回路を損傷させる場合があり、基材又は部品の温度を処理の間制御することは困難な場合がある。プラズマはまた、潜在的に危険な紫外光を放出する場合がある。このようなプロセスはまた高価な電気設備を必要とし、かなりの電力を消費して、それによりその全体的なコストの有効性を低下させる。
【００１４】
米国特許第５，４０９，５４３号明細書（特許文献１）は、熱フィラメントを用いて真空条件下で分子状水素を熱解離し、反応性水素種（即ち、原子状水素）を生成する方法を開示している。エネルギーを与えられた水素は、基材表面を化学的に還元する。熱フィラメントの温度は、５００℃〜２２００℃であることができる。電気的にバイアスをかけたグリッドが、熱フィラメントから放出された過剰な自由電子を偏向又は捕獲するのに用いられる。反応性種又は原子状水素は、不活性キャリヤーガス中に２％〜１００％の水素を含有する混合物から生成される。
【００１５】
米国特許第６，２０３，６３７号明細書（特許文献２）は、熱電子カソードからの放電を用いて水素を活性化する方法を開示している。熱電子カソードから放出された電子は、活性種を生成する気相放電を作り出す。この放出プロセスは、加熱されたフィラメントを収容している独立又は遠隔チャンバーで実施される。イオン及び活性化された中性種が処理チャンバーに流れ、酸化された金属表面を化学的に還元する。しかしながら、このような高温のカソードプロセスは、最適な有効性及びフィラメント寿命のために真空条件を必要とする。真空操作は、半田付け用コンベヤーベルトシステムに組み込まなければならない高価な設備を必要とし、それによってその全体的なコストの有効性が低下する。
【００１６】
Potierらの“Ｆｌｕｘｌｅｓｓ Ｓｏｌｄｅｒｉｎｇ Ｕｎｄｅｒ Ａｃｔｉｖａｔｅｄ Ａｔｍｏｓｐｈｅｒｅ ａｔ Ａｍｂｉｅｎｔ Ｐｒｅｓｓｕｒｅ”，Ｓｕｒｆａｃｅ Ｍｏｕｎｔ Ｉｎｔｅｒｎａｔｉｏｎａｌ Ｃｏｎｆｅｒｅｎｃｅ，１９９５，Ｓａｎ Ｊｏｓｅ，ＣＡ（非特許文献１）、並びに米国特許第６，１４６，５０３号明細書（特許文献３）、同第６，０８９，４４５号明細書（特許文献４）、同第６，０２１，９４０号明細書（特許文献５）、同第６，００７，６３７号明細書（特許文献６）、同第５，９４１，４４８号明細書（特許文献７）、同第５，８５８，３１２号明細書（特許文献８）、及び同第５，７２２，５８１号明細書（特許文献９）は、放電によって活性化されたＨ2（又はＣＨ4若しくはＮＨ3などの他の還元ガス）を生成するための方法を説明している。還元ガスは、不活性なキャリヤーガス（Ｎ2）中に“パーセントレベル”で一般に存在する。放電は“数ｋＶ”の交流電圧源を用いて作り出される。遠隔チャンバー中の電極から放出された電子によって、実質的に帯電種のない励起した又は不安定な種が生成され、そうしてこれらの種が基材に流れる。結果として得られるプロセスによって、半田付けされるべきベース金属の上の酸化物が１５０℃付近の温度で還元される。しかしながら、このような遠隔放電チャンバーは、相当な設備コストを必要とし、既存の半田付け用コンベヤーベルトシステムに対して容易には更新されない。加えて、これらのプロセスは、半田酸化物を除去するよりむしろ半田付け前の金属表面を前処理するために典型的に利用される。
【００１７】
米国特許第５，４３３，８２０号明細書（特許文献１０）は、大気圧で高電圧（１ｋＶ〜５０ｋＶ）電極からの放電又はプラズマを用いた表面処理方法を説明している。電極は遠隔チャンバーの中よりはむしろ基材の近くに配置される。電極から放出された自由電子によって、反応性水素ラジカル、つまり、原子状水素を含有するプラズマが作り出され、次いで、この反応性水素ラジカルが、酸化された基材の上に位置する誘電体シールドの開口を通過する。この誘電体シールドは、脱酸素を必要とする特定の表面位置に活性水素を集中させる。しかしながら、このような誘電体シールドは、電界を変化させ、正確なプロセス制御を妨げる場合がある表面電荷を蓄積することがある。説明されているプロセスは、ベース金属の表面を溶融するのに使用されるだけである。
【先行技術文献】
【特許文献】
【００１８】
【特許文献１】米国特許第５，４０９，５４３号明細書
【特許文献２】米国特許第６，２０３，６３７号明細書
【特許文献３】米国特許第６，１４６，５０３号明細書
【特許文献４】米国特許第６，０８９，４４５号明細書
【特許文献５】米国特許第６，０２１，９４０号明細書
【特許文献６】米国特許第６，００７，６３７号明細書
【特許文献７】米国特許第５，９４１，４４８号明細書
【特許文献８】米国特許第５，８５８，３１２号明細書
【特許文献９】米国特許第５，７２２，５８１号明細書
【特許文献１０】米国特許第５，４３３，８２０号明細書
【非特許文献】
【００１９】
【非特許文献１】Potierらの“Ｆｌｕｘｌｅｓｓ Ｓｏｌｄｅｒｉｎｇ Ｕｎｄｅｒ Ａｃｔｉｖａｔｅｄ Ａｔｍｏｓｐｈｅｒｅ ａｔ Ａｍｂｉｅｎｔ Ｐｒｅｓｓｕｒｅ”，Ｓｕｒｆａｃｅ Ｍｏｕｎｔ Ｉｎｔｅｒｎａｔｉｏｎａｌ Ｃｏｎｆｅｒｅｎｃｅ，１９９５，Ｓａｎ Ｊｏｓｅ，ＣＡ
【発明の概要】
【発明が解決しようとする課題】
【００２０】
したがって、電子部品に何ら損傷を与えないよう比較的低い温度下において、少なくとも１つの部品及び／又は半田表面から金属酸化物を除去するための経済的かつ効率的な方法を提供することが当技術分野で必要とされている。真空設備を購入及び維持するのに費用をかけないように、周囲圧又は大気圧付近の条件下におけるフラックスレス半田付けのための方法及び装置を提供することが当技術分野でさらに必要とされている。加えて、不燃性ガス環境を用いたフラックスレス半田付け処理を提供することが当技術分野で新たに必要とされている。
【課題を解決するための手段】
【００２１】
本発明は、フラックスを必要としないで少なくとも１つの部品及び／又は半田表面から金属酸化物を除去するための方法を提供することによって、当技術分野のニーズのすべてではないにしてもいくつかを満足させる。具体的には、本発明の１つの態様においては、少なくとも１つの部品表面から金属酸化物を除去するための方法であって、基材に接続された該少なくとも１つの部品を提供して、該基材が接地電位又は陽電位から成る群より選択された少なくとも１つの電位を有するターゲットアッセンブリを形成すること；還元ガスを含んで成るガス混合物を、第１及び第２電極を含んで成るイオン発生器に通過させること；該還元ガスの少なくとも一部に付着する電子を発生させて、負に帯電した還元ガスを形成するのに十分な電圧を該第１及び該第２電極の少なくとも一方に供給すること；並びに該ターゲットアッセンブリを該負に帯電した還元ガスと接触させて、該少なくとも１つの部品上の該酸化物を還元することを含んで成る、少なくとも１つの部品表面から金属酸化物を除去するための方法が提供される。
【００２２】
本発明の別の態様においては、表面金属酸化物及び半田を有する少なくとも１つの部品を半田付けするフラックスレス半田付け法が提供される。この方法は、基材が接地電位又は陽電位から成る群より選択された少なくとも１つの電位を有するターゲットアッセンブリとして、該基材に接続される少なくとも１つの部品を提供すること；還元ガス及びキャリヤーガスを含んで成るガス混合物を、ガス入口、該ガス入口と流体が連絡しているガス出口、アノード、及び該ガス入口と該ターゲットアッセンブリに近い該ガス出口との間に配置されたカソードを含んで成るイオン発生器に通過させること；該イオン発生器を通過する該還元ガスの少なくとも一部に付着する電子を発生させるのに十分なエネルギーを、該カソード及び該アノードのうち少なくとも一方に供給し、それによって負に帯電した還元ガスを該ガス出口で形成すること；並びに該ターゲットアッセンブリを該負に帯電した還元ガスと接触させて、少なくとも１つの部品上の該金属酸化物を還元することを含んで成る。
【００２３】
本発明のなお更なる態様においては、負に帯電したイオン性還元ガスの発生装置であって、その少なくとも一部が、第１電圧レベルに接続されたアノードを含んで成る内部中空を画定するエンクロージャーと；ガス入口、及び該内部中空に流体が連絡しているガス出口と；該内部中空に存在し、かつ該ガス入口と該ガス出口の間に配置され、該第１電圧レベルに関して負バイアスを有する第２電圧レベルに接続されたカソードとを含んで成る、負に帯電したイオン性還元ガスの発生装置が提供される。
【００２４】
本発明のさらに別の態様においては、第１チャンバー及び第２チャンバーを含んで成る、負に帯電したイオン性還元ガスを発生させる装置が提供される。該第１チャンバーは、その中に収容された少なくとも２つの電極であって、電位のバイアスがその電極間で印加される少なくとも２つの電極と；還元ガスを受け入れるための第１ガス入口と；該負に帯電したイオン性還元ガスを放出するためのガス出口とを有する。該第２チャンバーは、該第１チャンバーを封入し、かつキャリヤーガスを受け入れるための第２ガス入口を有し、該第２ガス入口が該第１チャンバーと流体連絡し、該還元ガス及び該キャリヤーガスが該第２チャンバー内でガス混合物を形成する。
【００２５】
本発明のこれら及び他の態様は、以下の詳細な説明より明らかになるであろう。
【図面の簡単な説明】
【００２６】
【図１ａ】カソード及びアノードについての電圧パルスを図示している。
【図１ｂ】カソード及びアノードについての電圧パルスを図示している。
【図２ａ】本発明のさまざまな電極デザインの略図である。
【図２ｂ】本発明のさまざまな電極デザインの略図である。
【図２ｃ】本発明のさまざまな電極デザインの略図である。
【図２ｄ】本発明のさまざまな電極デザインの略図である。
【図２ｅ】本発明のさまざまな電極デザインの略図である。
【図２ｆ】本発明のさまざまな電極デザインの略図である。
【図２ｇ】本発明のさまざまな電極デザインの略図である。
【図２ｈ】本発明のさまざまな電極デザインの略図である。
【図２ｉ】本発明のさまざまな電極デザインの略図である。
【図３】複数のチップを用いた放出電極の１つの実施態様についての例を提供する。
【図４】セグメントに分かれたアッセンブリを有する放出電極の1つの実施態様についての例を提供する。
【図５】遠隔イオン発生を図示した本発明の1つの実施態様についての例を提供する。
【図６】本発明のイオン発生装置の1つの実施態様についての例を提供する。
【図７】本発明のイオン発生装置の1つの実施態様についての更なる例を提供する。
【図８】本発明の装置の１つの実施態様を用いた、［電圧］対［さまざまなカソード温度についての電流］を表すグラフを提供する。
【図９】本発明の装置の１つの実施態様を用いた、［放出電流］対［２つの電極間に印加したパルス電圧の周波数及び振幅］を示す。
【図１０ａ】本発明のイオン発生装置の付加的な実施態様についての分解側面図を提供する。
【図１０ｂ】本発明のイオン発生装置の付加的な実施態様についてのアノードの詳細図を提供する。
【図１０ｃ】本発明のイオン発生装置の付加的な実施態様についてのカソードホルダーの詳細図を提供する。
【図１０ｄ】本発明のイオン発生装置の付加的な実施態様についてのカソードエミッターの詳細図を提供する。
【発明を実施するための形態】
【００２７】
負に帯電した水素イオンを照射することによって、少なくとも１つの部品及び／又は半田表面から金属酸化物を除去する方法及び装置が本明細書で開示される。ある実施態様においては、その照射は、リフロー及び半田付け処理の前及び／又はその間に行うことができる。負に帯電した水素イオンが反応して表面金属酸化物を還元する。本発明は、例えば、インナーリードボンディング及びリフロー半田付けに用いられるリフロー機械、又はアウターリードボンディングに用いられるウェーブ半田付け機械などの従来のリフロー及び半田付け設備を改良することによって利用することができる。本発明はまた、メッキ（即ち、印刷回路基板又は金属表面の一部を半田メッキして、以降の半田付けに対してそれらをより扱いやすくする）、表面洗浄、ろう付け、溶接、及びシリコンウェハ処理中に形成する酸化銅のような表面金属酸化物の除去など、しかしそれらに限定されない表面金属酸化物の除去が所望とされる他の処理に適用できる。本発明の方法及び装置を用いた金属酸化物の除去は、前述の処理又は有機フラックスを必要とせずに酸化物を除去することを望む任意の他の処理に等しく適用できる。
【００２８】
本明細書で開示されるイオン発生装置は、例えば、フリップチップアッセンブリを含む表面実装部品のフラックスレス半田付けのような特定の実施態様に特に好適な場合がある。これらの実施態様においては、電子は部品を横切って貫通し、下方に蓄積することがある。というのも、部品は半導電性材料から構成される場合があるためである。部品の下に電子が蓄積することで、還元ガス中の負に帯電した活性種に反発することがあり、それによって酸化物除去の効率に変化をもたらす場合がある。これを改善するために、イオン発生装置の位置を部品の表面形状に応じて調節することができる。本明細書で開示されるイオン発生装置を用いることによって、ガス混合物中の負に帯電した活性種を、表面形状に関係なく、処理されるべき部品の表面上に均一に分布させることができ、表面の環境条件に対する制限なしに負に帯電した種を形成するための操作条件（例えば、温度、圧力及びガス濃度）の最適化を可能にすることができる。
【００２９】
本明細書で用いられる“部品”という語は一般に、シリコン、二酸化ケイ素で被覆されたシリコン、アルミニウム−酸化アルミニウム、ヒ化ガリウム、セラミック、石英、銅、ガラス、エポキシ、又は電子デバイス内の使用に好適な任意の材料などの材料から構成された部品に関する。ある実施態様においては、部品はその表面の少なくとも１つの上に配置された半田を有する。例示的な半田組成物は、フラックスレスのスズ−銀、フラックスレスのスズ−銀−銅、フラックスレスのスズ−鉛、又はフラックスレスのスズ−銅を含むがそれらに限定されない。しかしながら、本発明の方法は、さまざまな異なる部品及び／又は半田組成物に好適である。
【００３０】
理論に束縛されることを意図するものではないが、直流（ＤＣ）電圧などのエネルギー源が、遠隔イオン発生器内に収容される２つの電極のうち少なくとも一方に印加されると、それによって電位が生じ、負バイアス電極から、２つの電極間の気相から、又はそれらの組み合せから電子が発生し、この電子が、電界に沿って正バイアス電極の方へドリフトする。ある好ましい実施態様においては、酸化物を除去すべき部品及び／又は半田付けされた部品は、接地されるか又は正バイアスをかけられた基材上に配置され、遠隔イオン発生器出口の直ぐ近くに配置される。還元ガスと随意にキャリヤーガスとを含んで成るガス混合物を、遠隔イオン発生器内の電極によって作り出した電界に通す。電子ドリフトの間に、還元ガスの一部は電子付着によって負イオンを形成し、次いで、この負イオンがイオン発生器の出口を通って、少なくとも１つの部品上に付着又は吸着する。こうして、付着又は吸着した負帯電イオンが、従来のフラックスを必要とせずに、ベース金属及び／又は半田上に存在する酸化物を還元できる。ある好ましい実施態様においては、処理すべき表面上の活性種の吸着は、活性種と処理すべき表面との間の正反対の電荷によって促進される（例えば、ターゲットアッセンブリに正バイアスをかける）。
【００３１】
還元ガスが水素を含んで成る実施態様においては、本発明の方法は以下のようにして行われると考えられる。
解離性付着:                    Ｈ2 ＋ ｅ' → Ｈ- ＋ Ｈ                （Ｉ）
放射性付着:                    ｅ' ＋ Ｈ → Ｈ- ＋ ｈν               （ＩＩ）
（Ｉ）と（ＩＩ）の組み合せ:    ２ｅ' ＋ Ｈ2 → ２Ｈ- ＋ ｈν          （ＩＩＩ）
酸化物還元：２Ｈ- ＋ ＭＯ → Ｍ ＋ Ｈ2Ｏ ＋ ２ｅ'（Ｍ＝半田／ベース金属）
（ＩＶ）
これらの実施態様においては、本発明の電子付着法を用いた酸化物還元の活性化エネルギーは、分子状水素を使用する方法よりも低い。なぜなら、電子付着を用いた原子状水素イオンの形成は、分子状水素の結合破壊に関連するエネルギーを除いているからである。
【００３２】
カソード、２つの電極間の気相、又はそれらの組み合せから電子を発生させるのに十分なエネルギーが、電極の少なくとも一方、好ましくはカソードに供給される。ある好ましい実施態様においては、エネルギー源は、交流（ＡＣ）又は直流（ＤＣ）電圧源などの電気エネルギー源であることができる。熱エネルギー源、電磁エネルギー源、又は光エネルギー源など、他のエネルギー源を単独で又は組み合せて使用することもできる。エネルギー源は、一定あるいはパルスであることもできる。本発明のある実施態様においては、カソードが第１電圧レベルで電圧源に接続され、アノードが第２レベルで電圧源に接続される。電圧レベルの差によって、電位のバイアスが作り出される。第１又は第２電圧レベルのうち一方は、カソード又はアノードの何れかが接地していることを示すゼロであることができる。
【００３３】
電子付着により負に帯電したイオンを作り出すためには、大量の電子を生成することが必要である。この点について、電子は、陰極放出、ガス放電、又はそれらの組み合せなど、しかしそれらに限定されないさまざまな方法によって生成できる。これら電子生成法の中では、方法の選択は、主として生成電子のエネルギーレベル及び効率に依存している。還元ガスが水素を含んで成る実施態様については、４ｅＶに近いエネルギーレベルを有する電子が好ましい場合がある。これらの実施態様においては、このような低エネルギーレベルの電子は、陰極放出及び／又はガス放電によって生成できる。そうして、生成した電子は、カソードから空間電荷を作り出すアノードへドリフトする。空間電荷は、還元ガスが少なくとも２つの電極を通過するときに、負に帯電したイオンを生成するための電子源を提供する。
【００３４】
陰極放出による電子生成に関する実施態様については、これらの実施態様は、（本明細書で低温放出と称される）電界放出、（本明細書で高温放出と称される）熱放出、熱電界放出、光電子放出、及び電子又はイオンビーム放出を含むことができる。
【００３５】
電界放出は、エネルギーバリヤーを克服して、カソード表面から電子を放出させるよう強度の十分高い電界をカソードとアノードの間で適用することを伴う。ある好ましい実施態様においては、ＤＣ電圧が、０．１〜５０ｋＶ又は１〜３０ｋＶの電圧で大きな表面の湾曲を有するカソードとアノードの間に適用される。これらの実施態様においては、電極間の距離は、０．１〜３０ｃｍ又は０．５〜５ｃｍであることができる。
【００３６】
他方で、熱放出は、高温によってカソードの電子を励磁し、カソード材料の金属結合から電子を分離することを伴う。ある好ましい実施態様においては、カソードの温度は、８００〜３５００℃又は８００〜１５００℃であることができる。カソードは、ＡＣ又はＤＣ電流などのエネルギー源をカソードに通すことによる直接加熱；加熱部材、ＩＲ放射、ガス混合物をカソードの所望温度以上の温度に予熱することにより加熱される電気絶縁された高温表面とカソード表面とを接触させるような間接加熱；又はそれらの組み合せなど、しかしそれらに限定されないさまざまな方法によって高温にするか及び／又はその高温を維持することができる。
【００３７】
熱電界放出は、電界と高温の両方を適用する電界放出法と熱放出法を混成したものである。それゆえ、熱電界放出は、純粋な電界放出及び純粋な熱放出に比べて、同量の電子を生成するのにより低い電界とより低いカソード温度を要求できる。熱電界放出は、放出表面上の汚染によって電子の放出が低下する傾向があること、及び放出表面の平坦性及び均一性に関する高い制限など、純粋な電界放出に関して直面する困難を最小限に抑えることができる。さらに熱電界放出によって、放出電極と気相の間で化学反応が起こる可能性が高いことなど、熱放出に関係した問題を回避することもできる。熱電界放出を用いる実施態様においては、カソードの温度は、周囲温度から３５００℃又は１５０〜１５００℃であることができる。これらの実施態様においては、電界は、０．０１〜３０ｋＶ又は０．１〜１０ｋＶであることができる。
【００３８】
ある好ましい実施態様においては、熱放出又は熱電界放出のメカニズムが、リフロー又は半田付けプロセスにおいて電子の生成に用いられる。これらの実施態様においては、これらメカニズムの何れかで用いられる高温のカソードは、イオン発生器においてアノードとカソードの間を通過するガス混合物のための熱源としても作用することができる。ある実施態様においては、イオン発生器中のガス混合物の温度は、リフロー及び半田付けについてガスを加熱するのに必要とされる熱エネルギーを低減することができるように、リフロー及び半田付け温度又はその付近であることができる。他の実施態様においては、イオン発生器中のガス混合物の温度は、リフロー及び半田付けプロセスの温度よりも比較的高い場合がある。この実施態様においては、還元ガスとしてＨ2を用いる場合のようないくつかの場合において、イオン発生器内で電子付着プロセスを促進することができる。というのも、電子付着による負に帯電した水素イオンの形成が吸熱反応であるからである。イオン発生器出口での負に帯電したイオン性還元ガスの温度は、例えば、処理ガスを大量の炉頂ガスで希釈することによってリフロー及び半田付け温度まで低下させることができる。負に帯電したイオンが形成される限り、イオンは電荷のようなものによって互いに反発することができ、それにより低下した温度で再結合する傾向が低減される。
【００３９】
本発明のある実施態様においては、電子の生成は、陰極放出法とコロナ放電法の組み合せによって達成される。これらの実施態様においては、ＤＣ電圧などのエネルギー源が２つの電極間で印加され、チップ付近でカソード（低温又は高温）とガス（コロナ放電）の両方から電子を生成することができる。電子付着によって負に帯電した水素イオンを形成する効率を増加させ、かつカソード表面上の正イオンの衝突を最小限に抑えることでカソードチップの寿命を向上させるために、コロナ放電はできる限り小さく抑えることが好ましい。
【００４０】
上記陰極放出メカニズムのある好ましい実施態様においては、２つの電極にわたって印加された電圧は、一定又はパルスであることができる。電圧パルスの周波数は０〜１００ｋＨｚである。図１ａ及び１ｂは、それぞれカソード及びアノードについての電圧パルスの図を与える。これらの実施態様においては、電子放出量を改善しかつ気相放電の傾向を低減するためには、一定電圧よりもパルス電圧が好ましい場合があると考えられる。
【００４１】
ガス放電による電子の生成に関する実施態様について、これらの実施態様は、熱放電、光放電、並びにグロー放電、アーク放電、スパーク放電、及びコロナ放電を含むさまざまなアバランシェ放電を含むことができる。これらの実施態様においては、電子は気相イオン化によって生成される。気相イオン化のある実施態様においては、気相は還元ガス及び不活性ガスを含み、電圧源が２つの電極間で印加され、電子が２つの電極間で不活性ガスから生成し、次いで、アノードなどの正バイアス電極にドリフトする。この電子ドリフトの間に、これら電子のいくつかは、還元ガス分子に付着し、電子付着によって負に帯電したイオンを形成することができる。加えて、いくつかの正イオンもまた、気相イオン化によって生成され、次いで、カソードなどの負バイアス電極へドリフトして電極表面で中性化される。
【００４２】
前述のように、陰極放出については、カソードとして作用することができる電極から電子が放出される。図２ａ〜２ｉについて言えば、電極は、例えば、同軸ケーブル２ａ、尖ったチップを備えたロッド、コーム若しくは複数の尖ったチップを備えたロッド２ｃ、スクリーン若しくはワイヤーメッシュ２ｄ、ルースコイル２ｅ、ずらりと並んだコーム２ｆ、同軸ケーブル若しくはフィラメントの束２ｇ、その表面から突き出た鋭いチップを備えたロッド２ｈ、又はぎざぎざのある表面を備えたプレート２ｉなど、さまざまな幾何学形状を有することができる。付加的な幾何学形状は、表面突起を備えたプレート若しくはロッド、巻き線若しくはフィラメントで包まれたロッド、同軸ケーブルのコイル等のような上記幾何学形状の組み合せを含むことができる。並直列又は交差グリッドに配置できる複数の電極を使用することができる。電界放出が関係する実施態様など、ある実施態様においては、カソードは、好ましくは、複数の鋭いチップなどの大きな表面の湾曲を有する幾何学形状から作製され、図３に示す幾何学形状のような電極表面の付近で電界を最大にする。図３で示すように、電極１は、その表面から出ている複数のチップ３とともに、電極表面上の溝内部にある一連の同軸ケーブル２を有する。
【００４３】
カソードとして作用する電極材料は、比較的低い電子放出エネルギー又は仕事関数を有する導電材料から構成されるのが好ましい。この材料はまた、処理条件下で高い溶融点と比較的高い安定性を有することが好ましい。好適な材料の例は、金属、合金、半導体、及び導電性基材上に被覆又は堆積された酸化物を含む。更なる例は、タングステン、黒鉛、ニッケルクロム合金などの高温用合金、並びに導電性基材上に堆積されたＢａＯ及びＡｌ2Ｏ3などの金属酸化物を含むがそれらに限定されない。
【００４４】
アノードとして作用する電極は、金属又はここに記載される他の材料の何れかのような導電材料から構成される。アノードは、本明細書に記載される幾何学形状の何れかのような、適用に応じたさまざまな異なる幾何学形状を有することができる。アノードは接地されるか、又はカソードに関して正バイアスを有する電圧レベルに接続される。アノードでの負に帯電したイオンの中性化を回避するために、アノードは、導電材料の一番上にセラミック又はガラス層などの絶縁層を有し、アノードでの負に帯電したイオンの中性化を防ぐことができる。
【００４５】
他の実施態様においては、電子を生成する間、磁界を適用することによって、アノード表面への負に帯電したイオンの中性化を最小限に抑えることができる。この実施態様においては、例えば、イオン発生装置及び／又はアノード管の内側若しくは外側の何れかに、１つ若しくは複数の磁気コイル又は外部磁気源を提供することなどによって、磁界を作り出すことができる。１つ又は複数の磁気コイルが、アノード管の外側又は内側にあるかに関わらず、電界によって、電子を該管の外側に移動させることができ、磁界によって、該管の内側へ電子が移動するのを制限することができる。作り出される磁界の強さはさまざまであることができるが、一般には０．１〜５，０００Ｗｂ／ｍ2、又は５００〜２，０００Ｗｂ／ｍ2ある。ある実施態様においては、より高い磁界によって、イオンの移動についてのらせん経路の半径を低減することができる。これらの実施態様においては、イオンのらせん経路の半径は、アノード管の半径よりも小さいことが必要な場合がある。
【００４６】
熱電界放出に関する本発明のある実施態様においては、カソード又は放出電極は、図４に示される電極などのセグメントに分かれたアッセンブリを含んで成ることができる。この点については、放出電極のコア１０は、高い電気抵抗を有する金属から作製でき、コア１０から出る複数のチップ１１を有することができる。チップ１１は、本明細書で開示される材料の何れかのような比較的低い電子放出エネルギー又は仕事関数を有する導電材料から作製できる。コアは、ＡＣ又はＤＣ電流などのエネルギー源（図示せず）をコア１０に直接流して加熱することができる。熱伝導によって、コアからチップ１１へ熱を伝達する。高温のコアは、エンクロージャーの外部に露出した複数のチップ１１を有する絶縁材料１２内に封入でき、次いで、該複数のチップ１１が支持フレームに挿入され、それによって、示されるようにセグメントに分かれたアッセンブリが形成される。セグメントに分かれたアッセンブリは、操作中のコアの熱膨張を可能にすることができる。この配置においては、カソードとアノードの間に電位を印加することによって、高温のチップ１１から電子を発生させることができる。
【００４７】
熱電界放出に関する本発明の別の好ましい実施態様においては、放出電極の温度は、間接加熱によって上昇させることができる。これは、放出電極のコアとして加熱カートリッジを使用することで達成できる。加熱カートリッジの表面は、該カートリッジ内部の加熱部材から電気絶縁した金属などの導電材料から構成できる。電子放出を促進するために、複数の分散された放出チップを、加熱カートリッジの表面上に取り付けることができる。カートリッジは、例えば、ＡＣ又はＤＣ電流などのエネルギー源をカートリッジ内部の加熱部材に流して加熱することができる。第２電極に関連するカートリッジ表面に負電圧バイアスを印加することによって、カートリッジの分散チップから電子を放出できる。この配置において電圧バイアスを作り出すために、第２電極は、カートリッジに負バイアスをかけることができるよう接地することができるか、あるいはカートリッジは、第２電極に正バイアスをかけることができるよう接地することができる。いくつかの実施態様においては、後者の場合が、一方が加熱部材に沿ったＡＣ又はＤＣ電流であり、もう一方がカートリッジ表面と第２電極との間の高い電圧バイアスである２つの電気回路間の潜在的な干渉を排除するのに好ましい場合がある。これらの実施態様においては、高温のカートリッジ電極はまた、リフロー及び半田付け処理に必要とされる温度を達成するためのガス混合物の熱源としても作用することができる。
【００４８】
前述のように、還元ガスを含んで成るガス混合物が、少なくとも２つの電極を収容する遠隔イオン発生器に通される。ガス混合物中に含有される還元ガスは、以下のカテゴリー、即ち、１）本質的に還元体のガス、２）金属酸化物との反応によりガス状酸化物を形成する活性種を生成することができるガス、又は３）金属酸化物との反応により液状若しくは水性酸化物を形成する活性種を生成することができるガスのうちの１つ又は複数に分類できる。
【００４９】
ガスの第１カテゴリー、即ち、本質的に還元体のガスは、除去されるべき酸化物に対して還元体として熱力学的に作用する任意のガスを含む。本質的に還元体のガスの例は、Ｈ2、ＣＯ、ＳｉＨ4、Ｓｉ2Ｈ6、ギ酸、例えば、メタノール、エタノール等のようなアルコール、及び以下の化学式（ＩＩＩ）を有するいくつかの酸蒸気を含む。
【化１】
2010043357.tif 000003
化学式（ＩＩＩ）において、置換基Ｒは、アルキル基、置換アルキル基、アリール若しくは置換アリール基であることができる。本明細書で用いられる“アルキル”という語は、好ましくは１〜２０の炭素原子、又はより好ましくは１〜１０の炭素原子を含有する直鎖、分枝又は環状のアルキル基を含む。これは、ハロアルキル、アルカリール又はアラルキルなどの他の基に含有されるアルキル部分にも適用する。“置換アルキル”という語は、Ｏ、Ｎ、Ｓ若しくはハロゲン原子などのヘテロ原子；ＯＣＨ3；ＯＲ（ＲはＣ1-10のアルキル若しくはＣ6-10のアリール）；Ｃ1-10のアルキル若しくはＣ6-10のアリール；ＮＯ2；ＳＯ3Ｒ（ＲはＣ1-10のアルキル若しくはＣ6-10のアリール）；又はＮＲ2（ＲはＨ、Ｃ1-10のアルキル若しくはＣ6-10のアリール）を含む置換基を有するアルキル部分に適用する。本明細書で用いられる“ハロゲン”という語は、フッ素、塩素、臭素及びヨウ素を含む。本明細書で用いられる“アリール”という語は、芳香族の性質を有する６〜１２員の炭素環を含む。本明細書で用いられる“置換アリール”という語は、Ｏ、Ｎ、Ｓ若しくはハロゲン原子などのヘテロ原子；ＯＣＨ3；ＯＲ（ＲはＣ1-10のアルキル若しくはＣ6-10のアリール）；Ｃ1-10のアルキル若しくはＣ6-10のアリール；ＮＯ2；ＳＯ3Ｒ（ＲはＣ1-10のアルキル若しくはＣ6-10のアリール）；又はＮＲ2（ＲはＨ、Ｃ1-10のアルキル若しくはＣ6-10のアリール）を含む置換基を有するアリール環を含む。ある好ましい実施態様においては、ガス混合物は水素を含有する。
【００５０】
還元ガスの第２カテゴリーは、本質的に還元性ではないが、ガス分子上における電子の解離性付着によって、例えば、Ｈ、Ｃ、Ｓ、Ｈ’、Ｃ’及びＳ’などの活性種を生成でき、かつ該活性種と除去されるべき金属酸化物との反応によってガス状酸化物を形成できる任意のガスを含む。このタイプのガスの例は、ＮＨ3、Ｈ2Ｓ、例えば、ＣＨ4、Ｃ2Ｈ4、化学式（ＩＩＩ）を有する酸蒸気、及び以下の化学式（ＩＶ）を有する有機蒸気など、しかしそれらに限定されないＣ1〜Ｃ10の炭化水素を含む。
【化２】
2010043357.tif 000004
化学式（ＩＩＩ）及び（ＩＶ）において、置換基Ｒは、アルキル基、置換アルキル基、アリール基、又は置換アリール基であることができる。
【００５１】
ガスの第３カテゴリーは、本質的に還元性ではないが、ガス分子上における電子の解離性付着によって、例えば、Ｆ、Ｃｌ、Ｆ’及びＣｌ’などの活性種を形成でき、かつ該活性種と金属酸化物との反応によって液状又は水性酸化物を形成できる任意のガスを含む。このタイプのガスの例は、ＣＦ4、ＳＦ6、ＣＦ2Ｃｌ2、ＨＣｌ、ＢＦ3、ＷＦ6、ＵＦ6、ＳｉＦ3、ＮＦ3、ＣＣｌＦ3及びＨＦなどのガスを含有するフッ素及び塩素を含む。
【００５２】
還元ガスの上記カテゴリーのうち１つ又は複数を含むことに加えて、ガス混合物は、１つ又は複数のキャリヤーガスをさらに含有できる。キャリヤーガスは、例えば、還元ガスを希釈すること、若しくは反応性ガスを希釈すること、又は衝突の安定化を与えることに使用できる。ガス混合物中で使用されるキャリヤーガスは、ガス混合物中の還元ガスよりも小さい電子親和力を有する任意のガスであることができる。ある好ましい実施態様においては、キャリヤーガスは不活性ガスである。好適な不活性ガスの例は、Ｎ2、Ａｒ、Ｈｅ、Ｎｅ、Ｋｒ、Ｘｅ及びＲｎを含むがそれらに限定されない。
【００５３】
ある好ましい実施態様においては、ガス混合物は、その比較的低いコストと排ガスの放出が環境にやさしいことにより、還元ガスとしての水素とキャリヤーガスとしての窒素を含んで成る。これらの実施態様においては、ガス混合物は、０．１〜１００ｖｏｌ％、好ましくは１〜５０ｖｏｌ％、又はより好ましくは０．１〜４ｖｏｌ％の水素を含んで成る。４％未満の水素量が好ましく、ガス混合物が不燃性になる。
【００５４】
ある実施態様においては、ガス混合物は、活性種を形成するために、周囲温度から３５００℃、又は１５０〜１５００℃の温度でイオン発生器に通される。イオン発生器に通した後、次いで、ガス混合物は、表面の脱酸素のために、リフロー及び半田付け温度などの処理温度まで下げることができる。イオン発生器の圧力は、１〜２０気圧又は１〜５気圧であることができる。イオン発生器出口での負に帯電したイオン性還元ガスの圧力は、例えば、流量制限オリフィス、背圧調整器、流量調節計、又は同様の手段を用いて炉又は処理領域に入る前に１気圧まで下げることができる。
【００５５】
前述のように、酸化物を除去すべき部品若しくは被加工物、及び／又は半田付けされた部品若しくは被加工物は、イオン発生器のガス出口の直ぐ近くに配置されるのが好ましい。出口と部品の上面との距離は、０．１〜３０ｃｍ又は０．５〜５ｃｍであることができる。本発明のある好ましい実施態様においては、部品を基材の上に置いてターゲットアッセンブリを与えることができる。基材は接地されるか、あるいは正バイアス電位を有することができる。他の実施態様においては、部品は、イオン発生器の出口と、接地されるか又は正バイアス電位を有する基材との間に配置できる。
【００５６】
ある実施態様においては、遠隔イオン発生器及び／又は部品（若しくはターゲットアッセンブリ）は移動することができる。この点については、遠隔イオン発生器が固定位置にあることができて、部品が移動できるか、遠隔イオン発生器が移動できて、部品が固定位置にあることができるか、又はイオン発生器と部品の両方が移動する。移動は、垂直方向、水平方向、半径方向又は円弧に沿っていることができる。
【００５７】
図５は、例えば、リフロー半田付けにおいて用いられる本発明の１つの実施態様の図を与える。装置は、乾燥器／炉２０の中心軸に沿って異なる区画に配置された加熱／冷却領域を典型的に有する乾燥器又は炉２０を含んで成る。少なくとも２つの電極（図示せず）を有する遠隔イオン発生器２１が、乾燥器／炉２０の内部に挿入される。イオン発生器２１は、ガス入口２２とガス出口２３をさらに有する。金属などの導電材料から作製した接地されている可動ベルト２４は、プリント回路基板上の電子デバイスなどの１つ又は複数の部品２５を運び、これらの部品は、部品の１つ又は複数の上に前もってプリントされた半田ペーストにより互いに一時的に接続され、乾燥器／炉２０並びに加熱及び冷却領域を通過する。窒素及び水素還元ガスから構成されるガス混合物２６は、ガス入口２２を通してイオン発生器２１に導入され、エネルギー源（図示せず）が、その中に収容されたカソード及びアノードとして作用する２つの電極のうち少なくとも一方に適用される。ガス混合物２６は、カソードの部位で生成した電子によるカソードとアノード間の電荷に反応し、還元ガス、好ましくは水素に対して、負に帯電したイオン性還元ガス２７となってガス出口２３を通過する。ガス出口２３は部品２５の直ぐ近くにある。負に帯電したイオン性還元ガス２７は、部品及び半田の表面上に存在する任意の金属酸化物を還元し、それによって半田接合を相当に強化する。半田ペーストは、乾燥器／炉２０の加熱領域で溶融し、部品の表面を濡らし、乾燥器／炉２０の冷却領域で再び凝固して半田付け製品を形成する。これによって、フラックスが全く必要とされず、酸化物又はフラックス残留物により生じる半田欠陥が回避される。
【００５８】
図６は、本発明の遠隔イオン発生装置３０の１つの実施態様についての例を与える。イオン発生器３０は、少なくとも２つの電極、即ち、コイルの幾何学形状を有するカソード３１と、装置の壁を含んで成る金属アノード３２とを含んで成る。カソード３１及びアノード３２は、外部のエネルギー源（図示せず）に接続される。金属アノード３２は、示されるように、その表面上に配置されたセラミックライナー３３をさらに含んで成る。イオン発生器３０は、ガス入口３４及びガス出口３５をさらに有する。ガス入口３４とガス出口３５の幾何学形状は、イオン発生器３０を通過するガス混合物（図示せず）の流速に作用するよう、互いに関してさまざまであることができる。還元ガスと随意にはキャリヤーガスとを含有するガス混合物（図示せず）が、イオン発生器３０に通される。ＤＣ電圧などのエネルギー源（図示せず）が、カソード３１とアノード３２に通され、それにより電界を作り出し、カソード３１に電子を発生させる。カソード３１から発生した電子は、電界の方向にドリフトする。電子は還元ガスの少なくとも一部に付着し、それによって、負に帯電した還元性イオンガス（図示せず）が生成される。負に帯電した還元性イオンガスは、ガス出口３５を通って部品（図示せず）の表面酸化物を還元する。
【００５９】
図７は、本発明の遠隔イオン発生器の別の実施態様についての図を与える。イオン発生器４０は、２つの同心円チャンバー４３及び４４に流れる２つのガス入口４１及び４２を有し、水素などの濃縮還元ガスを処理するための安全性を確実にする。濃縮水素ガスが、ガス入口４２を通ってメインチャンバー４３に入る。メインチャンバー４３は、入口４１を介して入る窒素などのキャリヤーガスによってパージされる二次チャンバー４４で囲まれている。濃縮水素流の圧力は、二次チャンバー４４の窒素圧力よりも高くなるように維持され、濃縮水素流と窒素流のガス流量比は、２つの流れの混合物における合計水素濃度が４ｖｏｌ％以下になるレベルに調節される。
【００６０】
図１０は、磁気コイル５１をさらに含むイオン発生装置５０の例を与える。装置５０は、磁界源として磁気コイル５１を示しているが、コイルの他に磁界を作り出す他の供給源がここで考えられると予想される。磁気コイル５１は、示されるようにアノード５４の内部体積中に存在できるか、アノード５４の外部若しくはアノード５４上に存在できるか、又は他のさまざまな配置で存在できる。イオン発生器５０は、少なくとも２つの電極、即ち、（図２ｃに示す電極配列のような）“くし形”のカソードエミッター５２を有し、かつカソードホルダー５３内に配置されたカソードアッセンブリと、装置の壁を含んで成るアノード５４とを含んで成る。カソードエミッター５２は、本明細書で開示される材料の何れかのような導電材料から構成される。カソードホルダー５３は絶縁材料から構成される。しかしながら、他の実施態様においては、カソードホルダー５３は、導電材料、絶縁材料、半導体材料、又はそれらの組み合せからから構成できる。ある実施態様においては、カソードエミッターのチップ５８は、アノード５４の壁にある複数の穿孔を通してアノード５４の内部体積に及ぶことができる。あるいはまた、チップ５８は、カソードエミッターとアノード５４との間の領域など、アノード５４の内部体積の外に存在できる。
【００６１】
カソードエミッター５２、アノード５４、及び磁気コイル５１は、示されるように外部エネルギー源に接続される。ある実施態様においては、金属アノード５４は、導電材料の１つ又は複数の層、導電材料で少なくとも部分的に被覆された絶縁材料、又は他のさまざまな構成から構成できる。イオン発生器５０は、ガス入口５６及びガス出口５７をさらに有する。ガス入口５６及びガス出口５７の幾何学形状は、イオン発生器５０を通過するガス混合物（図示せず）の流速に作用するよう、互いに関してさまざまであることができる。還元ガスと随意にはキャリヤーガスとを含有するガス混合物（図示せず）が、イオン発生器５０に通される。ＤＣ電圧などのエネルギー源が、カソードエミッター５２とアノード５４の間に印加され、それにより電界を作り出し、カソードエミッター５２に電子を発生させる。コイル５１又は他の磁気源に電流を流すことで発生する磁界によって、イオン発生器５０からガス出口５７への電子の誘導を補助することができる。アノード５４上の穿孔５５のサイズ及び数、磁気コイルに関する巻き数、カソードエミッター５２に関する導電チップ５８の外形、数、及び角度、カソードエミッター５２のチップとアノード５４の表面との間のギャップ、２つの電極間の電圧、磁気コイル５１の電流、及びアノード５４の幾何学形状など、しかしそれらに限定されないパラメータは、さまざまに変化して生成される電子の量を達成することができる。
【００６２】
本明細書に開示される方法は、例えば、表面洗浄、メッキ、ろう付け、溶接、及び半田バンプ付きウェハのリフローなど、半田付けの他に電子アッセンブリの複数の分野で使用できる。１つの実施態様においては、本発明は、２００３年４月２８日付け出願の同時係属の米国出願第１０／４２５，４０５号明細書で提供されている方法のような半田バンプ付きウェハのリフローに使用され、この特許出願は本発明の譲受人に譲渡されている。１つの特定の実施態様においては、この方法は、シリコンウェハ処理の間に形成した酸化銅など、金属の表面酸化物を還元するのに使用できる。このような酸化物は、ウェハ上にマイクロエレクトロニクスデバイスを形成するのに用いられるさまざまな湿潤処理工程、例えば、化学機械平坦化の結果として形成される場合がある。これらの表面酸化物は、デバイスの収率及びデバイスの信頼性を低下させる。この方法によって、水性還元剤の使用を必要としない十分に乾燥した環境にやさしい方法で表面酸化物を除去することができる。さらには、この方法は比較的低い温度で実施できるので、処理をする間、デバイスのサーマルバジェットに相当な影響を及ぼすことはない。対照的に、より高い温度では、ドーパント及び酸化物の拡散が生じることにより、デバイスの収率及び信頼性が低下する傾向にあり、それによってデバイスの性能が低下する。この方法は単一ウェハ上で実施することもできるので、他の単一ウェハプロセスと統合することができ、それにより他の製作工程とのより良好な適合性を提供する。
【００６３】
本発明は、以下の例を参照してより詳細に説明されるが、本発明はそれらに限定されるとは考えられないと解されるべきである。
【実施例】
【００６４】
［例１］
鋭いチップを備えた下向きの金属ロッド（カソードの幾何学形状については図２ｂを参照）を炉の中央付近に挿入したラボスケールの管状炉を用いて第１実験を行った。用いた試料は、接地した銅プレート（アノード）上のフラックスレスのスズ−鉛半田予備成形物（溶融点１８３℃）であり、それを炉の内部に装填し、Ｎ2中５％Ｈ2のガス流下で２５０℃まで加熱した。試料温度が平衡になると、陰極（カソード）と接地試料（アノード）の間にＤＣ電圧を印加し、電流０．３ｍＡで以って約２ｋＶまで徐々に増加させた。２つの電極間の距離は約１ｃｍであった。圧力は周囲の大気圧であった。
【００６５】
半田は銅表面上で十分に濡れていることが見出された。電圧を印加せずに、銅表面上のフラックスレス半田の良好な濡れを達成することは、このような低温では、純粋なＨ2でさえも決してできない。なぜなら、スズに基づいた半田上のスズ酸化物を除去するのに効果的な純粋Ｈ2の温度は３５０℃よりも高いからである。それゆえ、この結果は、電子付着法がＨ2のフラックスレス半田付けを促進するのに効果的であることを立証している。
【００６６】
負に帯電した水素イオンは、天然の水素ガス分子よりもはるかに反応性があるということが小規模の試験でわかった。それゆえ、この新しいアプローチを使用することによって、半田及びベース金属上の酸化物の水素還元を大いに促進することができる。周囲圧力下における水素のフラックスレス半田付け（Ｎ2中５ｖｏｌ％Ｈ2）の効果的な温度は、通常の半田付け温度範囲（＜２５０℃）に低減される。
【００６７】
［例２］
例１と同じ設定条件を用いた電界放出メカニズムを使用することにより、電子付着支援の水素フラックスレス半田付けについて、いくつかのカソード材料を調べた。調査の結果を表１に与える。
【００６８】
表１に示すように、最良の結果は、Ｎｉ／Ｃｒカソードを用いることによって得られた。それは最も高い溶融効率を与え、したがって最短の濡れ時間が得られた。可能性のある理由は、Ｎｉ／Ｃｒカソードが、比較的より多量の電子を生成し、他のカソード材料に比べて好適な電子のエネルギーレベルを有することである。
【００６９】
【表１】
2010043357.tif 000005
【００７０】
［例３］
遠隔イオン発生器を用いた電子付着支援のＨ2フラックスレス半田付けの実施可能性を実証するために、遠隔イオン発生器が、鋭いチップを備えた下向きのＮｉ／Ｃｒカソードロッドを用いて作製されている場合で実験を行った。アノードは、セラミック層によって覆われた銅プレートから構成された。２つの電極間に適用した電界は約２ＫＶ／ｃｍであった。遠隔イオン発生器は、試験試料の前に、即ち、言い換えると炉のガス入口近くにセットした。遠隔イオン発生器と試験試料との間の距離は約２〜４ｃｍであった。銅プレート上のＳｎ／Ｐｂ半田予備成形物（溶融点１８３℃）から成る試験試料を接地した。遠隔イオン発生器を装填した炉と試験試料を、Ｈ2とＮ2のガス混合物（約５ｖｏｌ％Ｈ2）でパージし加熱した場合に、約２２０℃で、半田が銅上で濡れ始めることが見出された。
【００７１】
［例４］
電界とともに高温のカソードを使用（熱電界放出）して電子放出の効率を上げるという考えは、垂直に配向した管状炉の中心に垂らしたＮｉ／Ｃｒの同軸ケーブル（直径０．００４インチ）を用いて実験的に実証された。このケーブルをＡＣ電力によって加熱し、ＤＣ電力源の負極側に接続して高温のカソードを与えた。同じ炉において、さらにまた、接地した金属プレートを高温のケーブルに平行に垂らしてアノードを与えた。アノードとカソードの間のギャップは１．４３ｃｍであった。カソードの温度は、カソード表面と接触している熱電対を用いて、室温又は周囲温度から６５０℃のさまざまな温度で測定した。実験の間、窒素流を炉中で維持して、高温のカソードから電子を発生させた。
【００７２】
２つの電極間に印加したＤＣ電圧の関数として、異なるカソード温度での放出電流を図８に与える。図８は、カソードの温度が周囲温度から２００℃よりも高く上昇すると、カソードの放出電流が相当に増加することを示している。放出電流の最も大きい増加は４００℃未満で起こった。
【００７３】
［例５］
本例は、電子を生成するための熱電界放出法の有効性を調べるために行った。その表面から突き出た複数の１ｍｍ長さに機械加工されたチップを有する直径３ｍｍの黒鉛ロッドをカソードとして作用させ、それは図２ｈに示したものと同様の幾何学形状であった。突き出た機械加工のチップのそれぞれは、２５度の先端角であった。黒鉛ロッドを５％Ｈ2及び９５％Ｎ2のガス混合物中で、ＡＣ電力源を用いた抵抗加熱により約４００〜５００℃に加熱した。黒鉛カソードと、アノードとして作用し、該黒鉛カソードとの間に１．５ｃｍのギャップを有する銅プレートとの間で５ＫＶのＤＣ電圧源を印加した。黒鉛ロッド上のチップすべてが明るくなり、それによって黒鉛ロッド上の分散チップから一様に電子を生成できることが示された。黒鉛ロッドを加熱しなければ、カソードからの電子生成、又はチップの１つとアノードプレートとの間のアーク発生はなかった。このことは、多数のチップを有するカソードの使用と上昇した温度との組み合せ、即ち、熱電界放出法が、統合された放出システムから一様な電子生成を得るのに効果的であることを実証している。
【００７４】
[例６]
本例は、図４に図示する電極のような２枚の機械加工したＡｌ2Ｏ3耐火性プレートの間で、水平に固定した直径０．０４インチのニッケル−クロム合金の電熱線を用いて行った。それぞれがワイヤーの一方の端部に鋭いチップ（１２．５度）を有する一連の５本のニッケル−クロム合金放出用ワイヤーが、ニッケル−クロムの電熱線からまっすぐ突き出ており、２枚の耐火性プレート間に垂直に配置された。ニッケル−クロムの電熱線及びチップを、５％Ｈ2及び９５％Ｎ2のガス混合物中でＡＣ電力源を用いて約８７０℃に加熱した。カソードと、アノードとして作用し、２つの電極間に６ｍｍのギャップを有する銅プレートとの間で２．６ＫＶのＤＣ電圧を印加した。５つのチップすべてが明るくなり、合計の電流放出は２．４ｍＡに達した。ワイヤーを加熱しなければ、カソードからの電子生成、又はチップの１つとアノードプレートとの間のアーク発生はなかった。例５と同様に、例６は、熱電界放出が一様な電子生成を提供することを実証している。さらには、カソードがより高い温度であるために、それはまた、所与の電位で電子生成の量を増大させる。
【００７５】
[例７]
本例は、高温の電極が間接加熱によって達成され、かつ２つの電極間に印加される電圧がパルスである表面上に多数のチップを備えた高温の放出電極の性能を実証した。放出電極は、そのコアとして加熱カートリッジを有していた。カートリッジのエンクロージャーは、エンクロージャー内の加熱部材で電気絶縁されたステンレス鋼から作製されている。それぞれが互いから９０度の角度で伸びた２つの鋭いチップ（先端角１２．５度）を有する６本のニッケル／クロムワイヤーを、図３に示すようなカートリッジ表面に分布した溝に挿入した。５％Ｈ2及び９５％Ｎ2を含有する雰囲気中で、加熱部材にＡＣ電流を流すことによってカートリッジを８００℃の温度に加熱した。放出電極の表面と接地した銅電極との間にパルスのＤＣ電圧源を印加した。２つの電極間のギャップは約１ｃｍである。
【００７６】
図９は、電圧パルスの振幅及び周波数が増加した場合に、放出電流が増加することを示している。
【００７７】
本発明は、詳細にかつこれらの例を参照して説明されたが、本発明の趣旨及び範囲から逸脱することなく、さまざまな変更及び改良を本発明において行うことができるということは当業者にとって明らかであろう。
【符号の説明】
【００７８】
２０    乾燥器／炉
２１    遠隔イオン発生器
２２    ガス入口
２３    ガス出口
２４    可動ベルト
２５    部品
２６    ガス混合物
２７    イオン性還元ガス
【図１ａ】
2010043357.tif 000008
【図１ｂ】
2010043357.tif 000009
【図２ａ】
2010043357.tif 000010
【図２ｂ】
2010043357.tif 000011
【図２ｃ】
2010043357.tif 000012
【図２ｄ】
2010043357.tif 000013
【図２ｅ】
2010043357.tif 000014
【図２ｆ】
2010043357.tif 000015
【図２ｇ】
2010043357.tif 000016
【図２ｈ】
2010043357.tif 000017
【図２ｉ】
2010043357.tif 000018
【図３】
2010043357.tif 000019
【図４】
2010043357.tif 000020
【図５】
2010043357.tif 000021
【図６】
2010043357.tif 000022
【図７】
2010043357.tif 000023
【図８】
2010043357.tif 000024
【図９】
2010043357.tif 000025
【図１０ａ】
2010043357.tif 000026
【図１０ｂ】
2010043357.tif 000027
【図１０ｃ】
2010043357.tif 000028
【図１０ｄ】
2010043357.tif 000029
【手続補正書】
【提出日】平成21年9月7日(2009.9.7)
【手続補正１】
【補正対象書類名】特許請求の範囲
【補正対象項目名】全文
【補正方法】変更
【補正の内容】
【特許請求の範囲】
【請求項１】
負に帯電したイオン性還元ガスの発生装置であって、
その少なくとも一部が、第１電圧レベルに接続されたアノードを含んで成る内部中空を画定するエンクロージャーと；
ガス入口、及び該内部中空に流体が連絡しているガス出口と；
該内部中空に存在し、かつ該ガス入口と該ガス出口の間に配置され、該第１電圧レベルに関して負バイアスを有する第２電圧レベルに接続されたカソードと
を含んで成る、負に帯電したイオン性還元ガスの発生装置。
【請求項２】
前記内部中空の内側に存在する磁気コイルをさらに含んで成り、該磁気コイルがエネルギー源に接続された、請求項１に記載の装置。
【請求項３】
前記内部中空の外側に存在する磁気コイルをさらに含んで成り、該磁気コイルがエネルギー源に接続された、請求項１に記載の装置。
【請求項４】
前記アノードが、その表面の少なくとも一部に配置された絶縁材料を有する、請求項１に記載の装置。
【請求項５】
前記ガス出口の開口が前記ガス入口の開口よりも小さい、請求項１に記載の装置。
【請求項６】
前記ガス出口が、流量制限開口、背圧調整器、流量調節計、及びそれら２種以上から成る群より選択された少なくとも１つを含んで成る、請求項１に記載の装置。
【外国語明細書】
2010043357000001.pdf